(57)【要約】【課題】浴室内の空気流によって容易に自然開放することがない面材保持構造を有した浴室ドアを提供する。【解決手段】面材保持部材２は、脱衣室側縦壁部２Ａと浴室側縦壁部２Ｂとに開口２ａ、２ｂが形成されており、これらの開口２ａ、２ｂを通じて脱衣室Ａ側から浴室Ｂ側へ空気を流通させるとともに、この空気の流通路Ｃに、上記とは逆の空気の流通を防止するための逆止弁２ｃ１、２ｃ２を設けている。【選択図】図１
2006274537.tif 000002
【特許請求の範囲】
【請求項１】
脱衣室側縦壁部と浴室側縦壁部との間に中空を形成し、かつ該両側縦壁部により面材を保持するようにした面材保持部材を、框に装着させた構造の浴室ドアであって、
上記面材保持部材は、上記脱衣室側縦壁部と上記浴室側縦壁部とに開口が形成されており、これらの開口を通じて脱衣室側から浴室側へ空気を流通させるとともに、この空気の流通路に、上記とは逆の空気の流通を防止するための逆止弁を設けていることを特徴とする浴室ドア。
【請求項２】
請求項１において、
上記面材保持部材には、その中空部から外部に通じる水抜き孔をさらに形成していることを特徴とする浴室ドア。
【請求項３】
請求項１または２において、
上記逆止弁は、上記浴室側縦壁部の開口に設けられ、常時は該開口を閉止し、脱衣室側から浴室側への空気流の風圧が作用した際に浴室側に開することが可能な蓋体からなることを特徴とする浴室ドア。
【請求項４】
請求項１〜３のいずれかにおいて、
上記逆止弁が、浴室面側の開口部の一辺部に貼着された弾性シート材からなることを特徴とする浴室ドア。
【発明の詳細な説明】
【技術分野】
【０００１】
本発明は、浴室ユニットルームの出入り口に設置する浴室ドアに関し、特に２枚折りドアの面材保持部分における浴室外部との空気流通に関するものである。
【背景技術】
【０００２】
従来、浴室ユニットルームのドアとして２枚折りドアが知られている。この種の折ドアは、ドア枠に配設されたレールに対してドア本体がスライドすることによって、ドア本体が中央のヒンジ部を中心に折り畳まれ、または展開されることにより、開、閉する構造となっている。
【０００３】
このような２枚折りドアは、開閉操作する際にスイングドアに比べて浴室側への突出長さが略半分になるため、開放した状態でもドアが浴室内でじゃまにならないという利点があることに加え、本体枠や面材が軽量素材で製され、かつ、ラッチが軽微な力による押し操作（または引き操作）により解放される構造となっているため、高齢者や子供でも簡単に開閉できるという利点もある。
【０００４】
次の特許文献には、浴室ユニットルームの２枚折りドアの構造例が開示されている。
【特許文献１】特開平９−３２４５８４号公報
【発明の開示】
【発明が解決しようとする課題】
【０００５】
しかしながら近年では、上記のように２枚折りドアのラッチ力が弱いことにより、浴室内に設置した換気乾燥機の換気運転による空気流や室内外の気圧差により自然にドアが開くという現象が発生している。
【０００６】
このような問題に対して、ラッチ力を強力にする、あるいはドア下部に設けたガラリ面積を大きくして外部との空気流通をよくする、などの方法が考えられているが、ラッチ力を強力にすると開閉に力を要し、特に高齢者にとって操作しづらくなり、またガラリ面積を大きくすると防水効果が低下するという問題がある。
【０００７】
一方、ドアの面材保持部やその近傍に隙間を設けて、外部と空気を流通させる方法も考えられる。特に、従来の２枚折りドアでは、ドアの面材を保持、固定するために、框と面材との間にグレーチングチャンネルと呼ばれる係止部材を介在させたものもあり、この係止部材あるいはその周辺に隙間を設ける方法も考えられるが、従来使用されていたＵ字状の係止部材、面材片側保持用の係止部材は、そもそも気密性、水密性を高める目的もあり、そのような隙間を設けることが可能な構造とはなっていなかった。
【０００８】
本発明は、このような事情を考慮して提案されたもので、その目的は、浴室内の空気流によって容易に自然開放することがない面材保持構造を有した浴室ドアを提供することにある。
【課題を解決するための手段】
【０００９】
上記目的を達成するために、請求項１に記載の浴室ドアは、脱衣室側縦壁部と浴室側縦壁部との間に中空を形成し、かつ該両側縦壁部により面材を保持するようにした面材保持部材を、框に装着させた構造の浴室ドアであって、面材保持部材は、脱衣室側縦壁部と浴室側縦壁部とに開口が形成されており、これらの開口を通じて脱衣室側から浴室側へ空気を流通させるとともに、この空気の流通路に、上記とは逆の空気の流通を防止するための逆止弁を設けていることを特徴とする。
【００１０】
請求項２では、面材保持部材には、その中空部から外部に通じる水抜き孔をさらに形成していることを特徴とする。
【００１１】
請求項３では、逆止弁は、浴室側縦壁部の開口に設けられ、常時は該開口を閉止し、脱衣室側から浴室側への空気流の風圧が作用した際に浴室側に開することが可能な蓋体からなることを特徴とする。
【００１２】
請求項４では、逆止弁が浴室面側の開口部の一辺部に貼着された弾性シート材からなることを特徴とする。
【発明の効果】
【００１３】
請求項１〜４に記載の浴室ドアによれば、框に装着させて面材を保持するための面材保持部材は、その脱衣室側縦壁部と浴室側縦壁部とに形成された開口を通じて脱衣室側から浴室側へ空気を流通させる空気流通路を備え、かつ、その流通路には上記とは逆の空気の流通を防止するための逆止弁を設けているため、浴室外部の空気を有効に取り込めるとともに、空気や水分の流出を防止することができる。
【００１４】
したがって、換気乾燥機を運転した場合にも、外気が入り込むため浴室内と脱衣室との大気圧の差が小さくなり、空気流や風圧によってドアが開いてしまうことがない。
【００１５】
さらに、換気乾燥機を作動させない状態では、逆止弁構造により、水の面材保持部材内への流入を阻止でき、また空気が外部に流れ出ないため乾燥、暖房効果が低下することもない。
【００１６】
特に、この面材保持部材を、通常ガラリを設置しない上框に使用すれば、天井部に設置した換気乾燥機に対して、上記効果を有効に発揮させることができる。
【００１７】
請求項２では、面材保持部材に水抜き孔を形成しているので、面材保持部材の中空部に入り込んだ水分を効果的に排出することができる。
【００１８】
請求項３では、逆止弁が浴室側縦壁部に設けられた開口の蓋体からなり、この蓋体は常時は閉止しているため、中空部への水の進入阻止に有効であり、また取り付けがきわめて簡単である。
【００１９】
請求項４では、逆止弁が浴室面側の開口部の一辺部に貼着された弾性シート材からなるため、その弾性変形と復元弾性を利用して簡易に逆止弁を構成することができ、また取り付けがさらに簡便に行える。
【発明を実施するための最良の形態】
【００２０】
以下に、本発明の実施の形態を、図面とともに説明する。
【実施例１】
【００２１】
図３は、本発明の浴室ドアの浴室側から見た正面図である。
【００２２】
浴室ユニットルーム（不図示）のドア開口部（不図示）には、ドア枠２０と２枚折りドア本体１０とが配設される。ドア枠２０は、ドア上下枠２１、２１とドア左右枠２２、２２とからなり、建築床（不図示）、建築壁（不図示）などと連結固定される。
【００２３】
一方、２枚折りドア本体１０であるドア枠部は、アルミ、アルミ合金、または樹脂製の上框１、下框６、縦框４、中桟５で構成されている。そして、これらの框１、４、６で囲まれた面域には、後述する面材保持部材２あるいはその他の面材保持部材を介して、半透明樹脂製の面材３が支持されて固定される。また、下框６の下方には、吸気あるいは排気のためのガラリ８が取り付けられている。なお、９はドア開放操作用の引き手である。
【００２４】
また、中央の縦框４の内側にはヒンジ部７を設けており、ドア本体１０の中央から左右に折曲自在の構造となっている。
【００２５】
図１は、本発明の浴室ドアの要部縦断面図であり、（ａ）は図３のＡ−Ａ線の断面図、（ｂ）は（ａ）のＸ部の拡大図である。また図２は、面材保持部材２の外観を示す斜視図である。
【００２６】
ドア上枠２１には長手方向に沿ってレール体２１ａを形成しており、２枚折りドア本体１０の左右端の上下に形成された戸車部１０ａが、上記レール体２１ａに沿ってスライドできるような構造となっている（下部のレール構造図は省略する）。なお、左右端のいずれか一方は、ドア左、右枠２２、２２のいずれかもしくはその近傍にヒンジ（不図示）結合され、他方端がスライドして開放できるように設置される。
【００２７】
また、２枚折りドア本体１０の上部中央には、ドアが閉まったときに留止するための、バネ（不図示）を含んで構成されたラッチ部１０ｂを形成し、ドア本体１０を閉めたときにこのラッチ部１０ｂがレール体２１ａに係止され、ドア本体１０が開放操作されるときには係止が解放されるように構成されている。なお、このラッチ構造は永久磁石による磁着構造であってもよい。
【００２８】
すなわち、浴室Ｂ側で浴室Ｂ側へ引き手９を引くか、脱衣室Ａ側からヒンジ部７近傍を押さえることにより、ラッチが解放され、戸車部１０ａがレール体２１ａを移動し、ヒンジ部７を浴室内へ突出させながら、ドア本体１０が折り畳まれて、ドア開口が開放される。
【００２９】
上述したように、面材３は、框１、４、６で囲まれた面域に、面材保持部材２等を介して保持、固定されるが、上框１においては図例の面材保持部材２を介して固定される。
【００３０】
上框１は、その下端には、面材保持部材２を挿入するための開口部１ａが形成され、脱衣室側縦壁部１Ａ、浴室側縦壁部１Ｂから下端開口部１ａへ折曲した、面材保持部材２を係止するための内向鍔状の係止部１ｂ、１ｂを形成している。
【００３１】
一方、面材保持部材２は、アルミ、アルミ合金、樹脂等により製された中空材であって、長手方向に沿って、底部を構成する基部２ｈには面材挿入口２ｅ、内壁下部には面材３の厚みよりやや小さな間隔に対向配置した一対の弾性変形可能な面材抑止部２ｇ、２ｇが、両側縦壁部の上部には長手方向に沿った外向鍔状の本体係止部２ｆ、２ｆが形成され、該係止部２ｆ、２ｆの外縁間の幅は、上記係止部１ｂ、１ｂの内縁間の幅よりやや大とされている。
【００３２】
面材保持部材２は、上框１の開口部１ａに装着する際、面材保持部材２の本体係止部２ｆ、２ｆが上框１の係止部１ｂ、１ｂに押圧されて弾性変形しながら挿入され、本体係止部２ｆ、２ｆが通過して上框１の内部に入り込むと、係止部１ｂ、１ｂと本体係止部２ｆ、２ｆとが相互に係合され、面材保持部材２が装着、保持される。
【００３３】
また、面材保持部材２に対して面材３を装着する際は、面材３を面材挿入口２ｅより挿入し、さらに面材抑止部２ｇ、２ｇを弾性変形させながら中空部に挿入する。そして、面材３は、所定位置まで挿入されたときには、面材抑止部２ｇ、２ｇの弾性力により面材の両側面が押圧されて、ガタつくことなく保持される。
【００３４】
図１に示すように、この面材保持部材２には、その脱衣室側縦壁部２Ａと浴室側縦壁部２Ｂとに、開口２ａ、２ｂが設けられている。この開口２ａ、２ｂは、図２に示すように、面材保持部材２の長手方向に沿って複数設けられ、両開口２ａ、２ｂの位置関係は、脱衣室Ａ側への水止めのため、開口２ａ、２ｂどうしを対面させず、つまり図示するように、上下、左右にずらして開設することが望ましい。なお、図２は浴室Ｂ側から見た斜視図であるため、脱衣室側縦壁部２Ａに設けた開口２ａは１つのみが図示されている。さらに上下関係では、浴室Ｂ側の開口２ｂの方が脱衣室Ａ側の開口２ａより低い位置にあるほうが望ましい。
【００３５】
また、該開口２ａ、２ｂによって形成された空気流通路Ｃの適所には、浴室Ｂ側から脱衣室Ａ側への空気の流通を防止した逆止弁２ｃ１、２ｃ２を設けている。すなわち、浴室側縦壁部２Ｂの開口２ｂに設けた逆止弁２ｃ１は、開口２ｂの下片側に貼着され、空気流通がないときは開口２ｂを閉塞する蓋体として構成される（図２も参照）一方、中空部に設けた逆止弁２ｃ２は、面材保持部材２の浴室側縦壁部２Ｂの内壁に貼着され、空気流通路Ｃの図１中の矢印方向に空気が流れるときに開き、かつその逆流を防止するため、常時は内壁と面材３との間に形成される空間を塞ぐように取り付けられている。なお、逆止弁２ｃ１、２ｃ２は、いずれか一方のみを設置するようにしてもよい。また、設置箇所も上記の箇所には限定されない。
【００３６】
また、逆止弁２ｃ１、２ｃ２の素材は、軽量のゴム等の弾性シート材とすることが望ましいが、これには限定されない。弾性シート材にすれば、その弾性変形と復元弾性を利用して簡易に逆止弁を構成することができる。
【００３７】
以上のような構成によれば、浴室Ｂ内で換気乾燥機（不図示）を運転するなどして、空気流が発生した場合など室内外で気圧差が生じたときには、脱衣室Ａ側から浴室Ｂ側への空気流による風圧が作用し、そのため、中空部の逆止弁２ｃ２が開き、浴室側縦壁部２ｂの開口２ｂに設けた逆止弁２ｃ１の上辺部が浴室Ｂ側に倒れて開口２ｂは開放され、開口２ａから開口２ｂまでの空気流通路Ｃに、脱衣室Ａ側から浴室Ｂ側へ空気が流れる。
【００３８】
逆に、換気乾燥機が作動せず上記空気流が生じない場合には、開口２ｂに取り付けた逆止弁２ｃ１によって開口２ｂは閉止され、空気流通路Ｃは塞がれた状態を維持する。万一、開口２ｂが開いて空気が流入した場合でも、逆止弁２ｃ２によって空気流通路Ｃは閉塞される。
【００３９】
すなわち、このような逆止弁付きの空気流通路Ｃによって、脱衣室Ａ側から浴室Ｂ側への空気の流通のみが許され、その逆の空気の流通は防止される。その結果、浴室Ｂ内で換気乾燥機を運転しても、風圧によって２枚折りドア１０が自然に開放されることを防止できる。さらに、逆止弁２ｃ１、２ｃ２により、水の面材保持部材２内への流入を阻止でき、また空気が脱衣室Ａ側に流れ出ないため乾燥、暖房効果が低下することがない。
【００４０】
また、面材保持部材２には、浴室Ｂ側の基部２ｈの上部直近に中空部から浴室Ｂ側に通じる複数の水抜き孔２ｄ、２ｄ・・・が適所に形成されている（図２も参照）。
【００４１】
このように水抜き孔２ｄを設けているため、万一、開口２ａ、２ｂより水が進入しても、浴室Ｂ側に排出させることができる。
【００４２】
上記の実施例では、上框１に配設する面材保持部材２の例を示したが、下框６、縦框４に装着される面材保持部材に上記のような逆止弁付き空気流通路を設けてもよい。たとえば、この面材保持部材２をドア下部にガラリの代用として設けてもよい。
【００４３】
なお、換気乾燥機は浴室Ｂ内の天井に設置されることが多く、ドア上部に風圧が作用することが多いため、上框１用の面材保持部材２に上記のような逆止弁付き空気流通路を設けるとより効果的である。
【００４４】
また、上記の実施例は２枚折りドアのものを示しているが、上記の面材保持部材を他の方式の浴室ドアに採用し、ガラリに代えて、あるいは付加して、通常換気のために使用することも可能である。
【図面の簡単な説明】
【００４５】
【図１】本発明の浴室ドアの要部縦断面図であり、（ａ）は図３のＡ−Ａ線の断面図、（ｂ）は（ａ）のＸ部の拡大図である。
【図２】面材保持部材の斜視図である。
【図３】本発明の浴室ドアの浴室側から見た正面図である。
【符号の説明】
【００４６】
１０      浴室ドア
１      上框
２      面材保持部材
２Ａ      脱衣室側縦壁部
２Ｂ      浴室側縦壁部
２ａ      脱衣室側縦壁部の開口
２ｂ      浴室側縦壁部の開口
２ｃ１、２ｃ２      逆止弁
２ｄ      水抜き孔
Ｃ      空気流通路
３      面材
【図１】
2006274537.tif 000003
【図２】
2006274537.tif 000004
【図３】
2006274537.tif 000005